(57)【要約】【課題】露光ムラの発生を防止したシャッタ装置およびこれを搭載したカメラを提供する。【解決手段】先シャッタ羽根を有する先幕と後シャッタ羽根を有する後幕とを備え、第１位置から第２位置に向けて前記先シャッタ羽根と前記後シャッタ羽根とを移動させるシャッタ装置において、前記先シャッタ羽根に接続する第１アーム部材と、前記第１アーム部材より前記第１位置側で前記先シャッタ羽根に接続する第２アーム部材と、前記後シャッタ羽根に接続する第３アーム部材と、前記第３アーム部材より前記第１位置側で前記後シャッタ羽根に接続する第４アーム部材とを有し、前記第１アーム部材から駆動力を伝達させて前記先シャッタ羽根を移動させるとともに、前記第３アーム部材から駆動力を伝達させて前記後シャッタ羽根を移動させる。【選択図】図２
2009139584.tif 000002
【特許請求の範囲】
【請求項１】
先シャッタ羽根を有する先幕と後シャッタ羽根を有する後幕とを備え、第１位置から第２位置に向けて前記先シャッタ羽根と前記後シャッタ羽根とを移動させるシャッタ装置において、
前記先シャッタ羽根に接続する第１アーム部材と、前記第１アーム部材より前記第１位置側で前記先シャッタ羽根に接続する第２アーム部材と、
前記後シャッタ羽根に接続する第３アーム部材と、前記第３アーム部材より前記第１位置側で前記後シャッタ羽根に接続する第４アーム部材とを有し、
前記第１アーム部材から駆動力を伝達させて前記先シャッタ羽根を移動させるとともに、前記第３アーム部材から駆動力を伝達させて前記後シャッタ羽根を移動させることを特徴とするシャッタ装置。
【請求項２】
前記第１アーム部材を回動駆動させるための先幕駆動部と、
前記第３アーム部材を回動駆動させるための後幕駆動部とを、さらに有する請求項１に記載のシャッタ装置。
【請求項３】
前記第２アーム部材は、前記第１アーム部材と協働して前記先シャッタ羽根を移動させる先幕従動アーム部材であり、
前記第４アーム部材は、前記第３アーム部材と協働して前記後シャッタ羽根を移動させる後幕従動アーム部材であることを特徴とする請求項１または請求項２に記載のシャッタ装置。
【請求項４】
前記第１アーム部材を係止するための先幕係止部材と、前記第１アーム部材を駆動させる駆動力を発生させる先幕用弾性部材と、
前記第３アーム部材を係止するための後幕係止部材と、前記第３アーム部材を駆動させる駆動力を発生させる先幕用弾性部材とをさらに有する請求項１から３のいずれかに記載のシャッタ装置。
【請求項５】
前記第１アーム部材から前記先シャッタ羽根に伝達される前記駆動力は、
前記第３アーム部材から前記後シャッタ羽根に伝達される前記駆動力と、略同一であることを特徴とする請求項１から４のいずれかに記載のシャッタ装置。
【請求項６】
請求項１から５のいずれかに記載のシャッタ装置を備えるカメラ。
【請求項７】
前記シャッタ装置は、前記第１位置から前記第２位置に向けて前記先シャッタ羽根と前記後シャッタ羽根とを移動させる際に露光を行うことを特徴とする請求項６に記載のカメラ。
【請求項８】
露光時間が１／２０００秒以下で動作可能な請求項６または７に記載のカメラ。
【発明の詳細な説明】
【技術分野】
【０００１】
本発明は、シャッタ装置およびカメラに関し、より詳細には、露光ムラの発生を抑制したシャッタ装置およびカメラに関する。
【背景技術】
【０００２】
カメラ等に搭載されるシャッタ装置としては、撮影前の待機状態において露光面を覆う先幕と、撮影後の露光面を覆う後幕と、これらのシャッタ幕に接続されたアーム等によって構成されるものが知られている。このようなシャッタ装置では、シャッタ幕を移動させる際に、各部品の連結部に存在するわずかな隙間（ガタ）によってシャッタ幕が振動し、露光ムラが発生するという問題が発生していた。
【０００３】
シャッタ幕の振動による露光ムラを抑制するための従来技術としては、例えばアームに偏倚バネを設置するものが知られている（例えば特許文献１参照）。しかしながら、従来技術では、バネを設置するためにシャッタ装置の構造が複雑になるうえに、アームとシャッタ幕との連結部に存在するガタによって発生する振動に関しては、これを抑制することはできなかった。
【特許文献１】実公昭６１−３１３０５号公報
【発明の開示】
【発明が解決しようとする課題】
【０００４】
本発明は、このような実情に鑑みてなされ、その目的は、露光ムラの発生を抑制したシャッタ装置およびこれを搭載したカメラを提供することである。
【課題を解決するための手段】
【０００５】
上記課題を解決するために、本発明に係るシャッタ装置（２０）は、
先シャッタ羽根（４２ａ〜４２ｄ）を有する先幕（４２）と後シャッタ羽根（４４ａ〜４４ｄ）を有する後幕（４４）とを備え、第１位置から第２位置に向けて前記先シャッタ羽根（４２ａ〜４２ｄ）と前記後シャッタ羽根（４４ａ〜４４ｄ）とを移動させるシャッタ装置（２０）において、
前記先シャッタ羽根（４２ａ〜４２ｄ）に接続する第１アーム部材（３２）と、前記第１アーム部材（３２）より前記第１位置側で前記先シャッタ羽根（４２ａ〜４２ｄ）に接続する第２アーム（３４）部材と、
前記後シャッタ羽根（４４ａ〜４４ｄ）に接続する第３アーム部材（３６）と、前記第３アーム部材（３６）より前記第１位置側で前記後シャッタ羽根（４４ａ〜４４ｄ）に接続する第４アーム部材（３８）とを有し、
前記第１アーム部材（３２）から駆動力を伝達させて前記先シャッタ羽根（４２ａ〜４２ｄ）を移動させるとともに、前記第３アーム部材（３６）から駆動力を伝達させて前記後シャッタ羽根（４４ａ〜４４ｄ）を移動させることを特徴とする。
【０００６】
また、例えば、本発明に係るシャッタ装置（２０）は、前記第１アーム部材（３２）を回動駆動させるための先幕駆動部（５８）と、
前記第３アーム部材（３６）を回動駆動させるための後幕駆動部（５９）とを、さらに有していてもよい。
【０００７】
また、例えば、前記第２アーム部材（３４）は、前記第１アーム部材（３２）と協働して前記先シャッタ羽根（４２ａ〜４２ｄ）を移動させる先幕従動アーム部材であり、
前記第４アーム部材（３８）は、前記第３アーム部材（３６）と協働して前記後シャッタ羽根（４４ａ〜４４ｄ）を移動させる後幕従動アーム部材であってもよい。
【０００８】
また、例えば、本発明に係るシャッタ装置（２０）は、前記第１アーム部材（３２）を係止するための先幕係止部材（９４）と、前記第１アーム部材（３２）を駆動させる駆動力を発生させる先幕用弾性部材（９２）と、
前記第３アーム部材（３６）を係止するための後幕係止部材と、前記第３アーム部材（３６）を駆動させる駆動力を発生させる先幕用弾性部材とをさらに有していてもよい。
【０００９】
また、例えば、前記第１アーム部材（３２）から前記先シャッタ羽根（４２ａ〜４２ｄ）に伝達される前記駆動力は、
前記第３アーム部材（３６）から前記後シャッタ羽根（４４ａ〜４４ｄ）に伝達される前記駆動力と、略同一であってもよい。
【００１０】
また、例えば、本発明に係るカメラ（２）は、いずれかに記載のシャッタ装置（２０）を備える。
【００１１】
また、例えば、本発明に係るカメラ（２）において、前記シャッタ装置（２０）は、前記第１位置から前記第２位置に向けて前記先シャッタ羽根（４２ａ〜４２ｄ）と前記後シャッタ羽根（４４ａ〜４４ｄ）とを移動させる際に露光を行ってもよい。
【００１２】
また、例えば、本発明に係るカメラ（２）は、露光時間が１／２０００秒以下で動作可能なカメラであってもよい。
【００１３】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１４】
以下、本発明を、図面に示す実施形態に基づき説明する。
図１は、本発明の実施形態にかかるフォーカルプレーンシャッタを搭載したカメラの概略断面図、
図２は、本発明の実施形態にかかるフォーカルプレーンシャッタの平面図、
図３は、図２に示すフォーカルプレーンシャッタの分解斜視図、
図３Ａは、本発明のその他の実施形態に係るフォーカルプレーンシャッタの基板を表した斜視図、
図４は、図２または図３に示すフォーカルプレーンシャッタの記録媒体側からかの平面図、
図５は、図２に示すフォーカルプレーンシャッタにおける先幕の拡大図、
図６は、図２に示すフォーカルプレーンシャッタにおける後幕の拡大図、
図７は、図２に示すフォーカルプレーンシャッタの露光動作直後の状態を示した平面図、
図８は、図２に示すフォーカルプレーンシャッタの露光動作中の状態を表した要部平面図
図９は、本発明の比較例にかかるフォーカルプレーンシャッタの平面図、
図１０は、図９に示すフォーカルプレーンシャッタの露光動作中の状態を示した要部平面図。
第１実施形態
【００１５】
図１は、本発明の一実施形態に係るフォーカルプレーンシャッタ２０が搭載された一眼レフカメラ２を示したものである。カメラボディ４の筐体６には開口部８が形成されており、開口部８の周辺にはレンズマウント１０が形成されている。レンズマウント１０を介して、開口部８を覆うようにレンズ鏡筒１１が設置されており、レンズ鏡筒１１に備えられた撮影レンズ９によって導かれた撮影光が、筐体６内部に導入される。
【００１６】
筐体６内部には、クイックリターンミラー１２、ファインダスクリーン１４、ペンタプリズム１６、接眼レンズ１８、フォーカルプレーンシャッタ２０、光学ローパスフィルタ２２および記録媒体３０等が具備してある。撮影の際には、クイックリターンミラー１２がはねあがることにより撮影光の光路上から退避し、さらに、フォーカルプレーンシャッタ２０を開くことによって、撮影光が記録媒体３０上に導かれる。なお、本実施形態の一眼レフカメラは、記録媒体３０として撮像素子を使用したデジタルカメラであるが、本願発明はこれに限られず、フィルム式カメラであっても良い。なお、実施形態では、撮影時の撮影光の進行方向をＺ軸の正方向、図２に示すフォーカルプレーンシャッタ２０の移動方向をＹ軸の負方向、Ｙ軸およびＺ軸と直交する方向をＸ軸方向として説明を行う。
【００１７】
図２は、図１のカメラに搭載されたフォーカルプレーンシャッタ２０の露光動作前における羽根と開口の位置関係を示した概略平面図である。フォーカルプレーンシャッタ２０は、先幕４２および後幕４４が、開口６２ａが形成された第２基板６２等に対して開閉自在に配置してある。図２に示す露光動作前の状態では、先幕４２は、開口６２ａを遮蔽するように展開しているのに対して、後幕４４は、開口６２ａに対してＹ軸正方向側の位置に退避して折り畳まれている。
【００１８】
図３は、フォーカルプレーンシャッタ２０の各構成部品の位置関係を示した分解斜視図である。フォーカルプレーンシャッタ２０は、中間体４０を挟んで、撮影レンズ９側（Ｚ軸負方向側）に位置する第１基板６０と、記録媒体３０側（Ｚ軸正方向側）に位置する第２基板６２とを有する。中間体４０、第１基板６０および第２基板６２は、光軸（Ｚ軸）に沿って配置されている。なお、中間体４０と各基板６０，６２の間には、スペーサ６３を配置してもよい。
【００１９】
本実施形態の中間体４０は、遮蔽板４０ｃと中間板４０ｂの２部品から構成されているが、遮蔽板４０ｃと中間板４０ｂは一体となっていても良い。中間体４０の開口４０ａと、第１基板６０の開口６０ａと、第２基板６２の開口６２ａとは、光軸（Ｚ軸）方向に略一致して重なるように配置される。
【００２０】
中間体４０と第２基板６２との間には、４枚の先シャッタ羽根４２ａ〜４２ｄによって構成されている先幕４２と、第１アーム３２および第２アーム３４とが配置されている。先シャッタ羽根４２ａ〜４２ｄは、図５に示す羽根ダボ７２〜７９を介して、第１アーム３２および第２アーム３４に対して回動自在に取り付けられている。
【００２１】
さらに、図２または図５に示すように、第１アーム３２および第２アーム３４は、第２基板６２に植設された軸Ｘ１，Ｘ２に対して、回動可能に連結されている。さらに第１アーム３２の孔３２ａには、第１駆動ピン５８が回動可能に取り付けられている。第１駆動ピン５８は、図４に示す先幕駆動レバー９０を介して先幕駆動バネ９２からの駆動力を受け、第２基板６２のガイド孔６２ｂに沿って移動できる。
【００２２】
図４は、第２基板６２を、記録媒体３０側（Ｚ軸正方向側）から見た概略平面図である。第２基板６２の記録媒体３０側の表面には、先幕駆動バネ９２、先幕駆動レバー９０、先幕係止レバー９４等が配置されている。先幕駆動レバー９０は、先幕駆動バネ９２からの駆動力を受けて、回転軸９１を中心に回動し、先幕駆動レバー９０を図中矢印方向に移動させることができる。先幕係止レバー９４は、先幕駆動レバー９０を係止することによって、第１駆動ピン５８を介して駆動レバー９０に接続されている第１アーム３２が回動することを係止している。先幕係止レバー９４は、不図示のレリーズボタンからの信号を受けて、回転軸９５を中心に回動し、当該先幕係止レバー９４と先幕駆動レバー９０との係合を解除することができる。
【００２３】
また、図３に示す第１基板６０と中間体４０との間には、４枚の後シャッタ羽根４４ａ〜４４ｄによって構成されている後幕４４と、第３アーム３６および第４アーム３８とが配置されている。後シャッタ羽根４４ａ〜４４ｄは、図６に示す羽根ダボ８０〜８７を介して、第３アーム３６および第４アーム３８に対して回動自在に取り付けられている。
【００２４】
さらに、図２または図６に示すように、第３アーム３６および第４アーム３８は、第１基板６０に植設された軸Ｘ３，Ｘ４に対して、回動可能に連結されている。さらに第３アーム３６の孔３６ａには、第２駆動ピン５９が、回動可能に取り付けられている。第２駆動ピン５９は、図３に示す第１基板６０の撮影レンズ側（Ｚ軸負方向側）の表面に取り付けられている不図示の後幕駆動バネからの駆動力を受け、第１基板６０のガイド孔６０ｂに沿って移動できる。
【００２５】
なお、図示しないが、図４に示す第２基板６２の記録媒体３０側の表面と同様に、図３に示す第１基板６０の撮影レンズ側（Ｚ軸負方向側）の表面には、後幕駆動バネ、後幕駆動レバー、後幕係止レバー等が配置されている。ここで、図４に示す先幕駆動バネ９２によって発生し、第１駆動ピン５８から第１アーム３２に伝えられる駆動力と、後幕駆動バネによって発生し、第２駆動ピン５９から第３アーム３６に伝えられる駆動力とは、略同一であることが好ましい。図２に示す先幕４２の先シャッタ羽根４２ｄと、図７に示す後幕４４の後シャッタ羽根４４ａとを、略同一駆動で駆動させることによって、略同一速度で移動させることができ、露光時間をより正確に制御できるからである。
【００２６】
フォーカルプレーンシャッタ２０の先幕４２を構成する各先シャッタ羽根４２ａ〜４２ｄと、後幕４４を構成する各後シャッタ羽根４４ａ〜４４ｄとは、露光動作を行う際、図２に示す第１位置から、図７に示す第２位置までを移動する。
【００２７】
すなわち、図２に示すように、先幕４２が、開口６２ａを遮蔽するように展開している状態における各先シャッタ羽根４２ａ〜４２ｄの位置が、各先シャッタ羽根４２ａ〜４２ｄの第１位置である。それに対して、図７に示すように、先幕４２が、開口６２ａに対してＹ軸負方向側に退避して折り畳まれている状態における各先シャッタ羽根４２ａ〜４２ｄの位置が、各先シャッタ羽根４２ａ〜４２ｄの第２位置である。また、図２に示すように、後幕４４が、開口６２ａに対してＹ軸正方向側に退避して折り畳まれている状態における各後シャッタ羽根４４ａ〜４４ｄの位置が、各後シャッタ羽根４４ａ〜４４ｄの第１位置である。それに対して、図７に示すように、後幕４４が、開口６２ａを遮蔽するように展開している状態における各後シャッタ羽根４４ａ〜４４ｄの位置が、各後シャッタ羽根４４ａ〜４４ｄの第２位置である。
【００２８】
露光動作では、図４に示す先幕駆動バネ９２からの駆動力を受けた第１駆動ピン５８が、図５の矢印で示す方向に移動することによって、第１駆動ピン５８から第１アーム３２に駆動力が伝達し、第１アーム３２が軸Ｘ１を中心に回動を始める。第１アーム３２の移動によって、第１アーム３２と羽根ダボ７２〜７５との間に存在する僅かな隙間（ガタ）が寄せられる。第１アーム３２に対して羽根ダボ７２〜７５が押し付けられる状態となり、羽根ダボ７２〜７５に固定されている先シャッタ羽根４２ａ〜４２ｄが、第１アーム３２によって第２位置側に引っ張られる。
【００２９】
第１アーム３２に引っ張られることによって、先シャッタ羽根４２ａ〜４２ｄは、図２示す第１位置から、図７に示す第２位置に向かって移動を開始する。ここで各先シャッタ羽根４２ａ〜４２ｄは、第１アーム３２より第１位置側で、各羽根ダボ７６〜７９を介して第２アーム３４に接続されている。したがって、図５に示す第２アーム３４と、羽根ダボ７６〜７９との間に存在する僅かな隙間（ガタ）が、先シャッタ羽根４２ａ〜４２ｄの移動によって寄せられる。第２アーム３４に対して羽根ダボ７６〜７９を押し付ける状態となり、先シャッタ羽根４２ａ〜４２ｄによって第２アーム３４が第２位置側方向に向かって引っ張られ、第２アーム３４が軸Ｘ２を中心に回動を始める。
【００３０】
このように、本実施形態にかかるフォーカルプレーンシャッタ２０では、第１および第２アーム３２，３４と、各先シャッタ羽根４２ａ〜４２ｄとは、平行リンク機構を構成している。また、露光動作において、先シャッタ羽根４２ａ〜４２ｄを移動させる駆動力は、先幕４２を含むリンク機構の第１アーム３２から伝達される。したがって、露光動作において、先シャッタ羽根４２ａ〜４２ｄを移動させる駆動力は、第１アーム３２、各先シャッタ羽根４２ａ〜４２ｄ、第２アーム３４の順番に伝達する。
【００３１】
図２に示す後幕４４は、先幕４２を構成する各先シャッタ羽根４２ａ〜４２ｄが第１位置から、図７に示す第２位置に移動を開始してから所定時間の後に、図２に示す第１位置から、図７に示す第２位置に移動を開始する。後幕４４の移動では、まず、図６に示すように、不図示の駆動部からの駆動力を受けた第２駆動ピン５９が、矢印で示す方向に移動を開始する。次に、第２駆動ピン５９から第３アーム３６に駆動力が伝達し、第３アーム３６が、軸Ｘ３を中心に回動を始める。
【００３２】
第３アーム３６の移動によって、第３アーム３６と羽根ダボ８０〜８３との間に存在する僅かな隙間（ガタ）が寄せられる。第３アーム３６に対して羽根ダボ８０〜８３が押し付けられる状態となり、羽根ダボ８０〜８３に固定されている後シャッタ羽根４４ａ〜４４ｄに駆動力が伝達する。
【００３３】
後シャッタ羽根４４ａ〜４４ｄに伝達した駆動力によって、後シャッタ羽根４４ａ〜４４ｄは、図２示す第１位置から、図７に示す第２位置に向かって移動を開始する。ここで各後シャッタ羽根４４ａ〜４４ｄは、第３アーム３６より第１位置側で、各羽根ダボ８４〜８７を介して第４アーム３８に接続されている。したがって、図６に示す第４アーム３８と、羽根ダボ８４〜８７との間に存在する僅かな隙間（ガタ）が、後シャッタ羽根４４ａ〜４４ｄの移動によって寄せられる。第４アーム３８に対して羽根ダボ８４〜８７を押し付ける状態となり、各後シャッタ羽根４４ａ〜４４ｄから第４アーム３８に駆動力が伝達し、第４アーム３８が、軸Ｘ４を中心に回転を始める。
【００３４】
このように、本実施形態にかかるフォーカルプレーンシャッタ２０では、第３および第４アーム３６，３８と、各後シャッタ羽根４４ａ〜４４ｄとは、平行リンク機構を構成している。また、露光動作において、後シャッタ羽根４４ａ〜４４ｄを移動させる駆動力は、後幕４４を含むリンク機構の第３アーム３６から伝達される。したがって、後シャッタ羽根４４ａ〜４４ｄを移動させる駆動力は、第３アーム３６、各後シャッタ羽根４４ａ〜４４ｄ、第４アーム３８の順番に伝達する。
【００３５】
すなわち、本実施形態にかかるフォーカルプレーンシャッタ２０では、シャッタ羽根４２ａ〜４２ｄ，４４ａ〜４４ｄに接続されているアーム３２〜３８のうち、第２位置側に接続されている第１および第３アーム３２，３６から駆動力を伝達させて、先シャッタ羽根４２ａ〜４２ｄおよび後シャッタ羽根４４ａ〜４４ｄを移動させる。
【００３６】
したがって、本実施形態にかかるフォーカルプレーンシャッタ２０では、露光動作において、先シャッタ羽根４２ａ〜４２ｄおよび後シャッタ羽根４４ａ〜４４ｄを、第２位置側に向かって引っ張る方向に駆動力を伝達させて移動させるため、各シャッタ羽根４２ａ〜４２ｄ，４４ａ〜４４ｄの移動時における振動が小さい。また、本実施形態にかかるフォーカルプレーンシャッタ２０では、各シャッタ羽根４２ａ〜４２ｄ，４４ａ〜４４ｄの移動時における振動が小さいため、開口６２ａに対して均一に露光が行われ、露光ムラを抑制することができる。
【００３７】
ここで、本発明の比較例に係るフォーカルプレーンシャッタ１００と、本発明の実施例に係るフォーカルプレーンシャッタ２０とをカメラに搭載し、それぞれの露光動作について行った分析結果について説明する。
比較例
【００３８】
図９に示す比較例に係るフォーカルプレーンシャッタ１００では、後幕１２４を構成する後シャッタ羽根１２４ａ〜１２４ｄに接続する第３アーム１０６および第４アーム１０８のうち、第１位置側に接続されている第４アーム１０８から駆動力を伝達させて、後シャッタ羽根１２４ａ〜１２４ｄを移動させる。すなわち、第４アーム１０８の孔１０８ａには、不図示の駆動部からの駆動力を受けて後シャッタ羽根１２４ａ〜１２４を移動させる駆動ピン１３０が回動可能に取り付けられている。なお、図９に示す先幕１２２を構成する先シャッタ羽根１２２ａ〜１２２ｄについては、図２に示す本実施形態にかかる先シャッタ羽根４２ａ〜４２ｄと同様に、第２位置側に接続されている第１アーム１０２から駆動力が伝達される。
【００３９】
比較例では、図９に示すフォーカルプレーンシャッタ１００を、本実施形態に係るフォーカルプレーンシャッタ２０の代わりに、図１に記載のカメラに搭載し、露光動作について分析を行った。
【００４０】
図１０は、比較例に係るフォーカルプレーンシャッタ１００の高シャッタ速度での露光動作中における開口１０１ａとシャッタ羽根の位置関係を表した概略図である。なお、図１０では、先幕１２２の先シャッタ羽根１２２ａ〜１２２ｄのうち、図９に示す露光前の状態で最も後幕１２４に近接して配置されているシャッタ羽根１２２ｄのみを示しており、他のシャッタ羽根は図示を省略している。また、後幕１２４についても、露光動作時において、始めに開口１０１ａを遮蔽し始めるシャッタ羽根１２４ａのみを示しており、他のシャッタ羽根は図示を省略している。
【００４１】
高シャッタ速度での露光動作においては、先幕１２２が開口１０１ａから完全に退避する前に、後幕１２４が開口１０１ａを遮蔽し始める。すなわち、図１０に示すように、先幕１２２および後幕１２４は、先幕１２２の先シャッタ羽根１２２ｄと、後幕１２４の後シャッタ羽根１２４ｄとの間に、スリットＳ２を形成しながら、第１位置から第２位置に移動する。
【００４２】
この際、比較例の後幕１２４では、後シャッタ羽根１２４ａの第１位置側（Ｙ軸負方向）に接続されている第４アーム１０８から駆動力を伝達させて、後シャッタ羽根１２４ａを移動させている。
【００４３】
ここで、本願の発明者は、比較例に係る後幕１２４の後シャッタ羽根１２４ａには、第１位置側から第２位置側へ押す方向に駆動力を伝達させることになり、第２位置側に向かって引っ張る方向に駆動力を伝達させる先シャッタ羽根１２２ａに比べて、移動時における振動が比較的大きいことを見出した。
【００４４】
また、後シャッタ羽根１２４ａの移動時における振動が大きいと、露光動作時に形成されるスリットＳ２の形状が不安定となり、開口１０１ａに対して均一に露光がされず、露光ムラが発生する確率が本発明の実施例（後述）に比べて高いという知見を得た。図９および図１０に示す比較例にかかるフォーカルプレーンシャッタ１００では、特に、後幕１２４の後シャッタ羽根１２４ａが急加速される際に、後シャッタ羽根１２４ａの振動が比較的大きくなり、開口１００ａにおける露光開始側（Ｙ軸負方向側）において露光ムラが発生する確率がより高いという分析結果を得た。
【００４５】
さらに、このような露光ムラは、スリットＳ２の幅Ｄ２の小さい高シャッタ速度での露光動作において顕著であり、特に、露光時間が１／２０００秒以下で動作する場合に顕著であった。
実施例
【００４６】
実施例では、実施形態で係るフォーカルプレーンシャッタ２０を搭載した図１に示すカメラ２を用いて、露光動作の分析を行った。
【００４７】
図８は、実施例に係るフォーカルプレーンシャッタ２０の高シャッタ速度での露光動作中における開口６２ａとシャッタ羽根の位置関係を表した概略図である。なお、図８では、先幕４２の先シャッタ羽根４２ａ〜４２ｄのうち、図２に示す露光前の状態で最も後幕４４に近接して配置されている先シャッタ羽根４２ｄのみを示しており、他のシャッタ羽根は図示を省略している。また、後幕４４についても、露光動作時において、始めに開口６２ａを遮蔽し始める後シャッタ羽根４４ａのみを示しており、他のシャッタ羽根は図示を省略している。
【００４８】
高シャッタ速度での露光動作においては、先シャッタ羽根４２ｄおよび後シャッタ羽根４４ａは、比較例と同様に、スリットＳ１を形成しながら、第１位置から第２位置に移動する。
【００４９】
この際、実施例の後幕４４では、比較例と異なり、後シャッタ羽根４４ａの第２位置側（Ｙ軸負方向側）に接続されている第３アーム３６から駆動力を伝達させて、後シャッタ羽根４４ａを移動させている。したがって、後幕４４の後シャッタ羽根４４ａには、先幕４２の先シャッタ羽根４２ｄと同様に、第２位置側に向かって引っ張る方向に駆動力を伝達させるため、比較例の後シャッタ羽根１２４ａに比べて移動時における振動が小さい。
【００５０】
また、後シャッタ羽根４４ａの移動時における振動が小さいと、露光動作時に形成されるスリットＳ２の形状が安定し、開口６２ａに対して均一に露光が行われるため、露光ムラが抑制された。実施例にかかるフォーカルプレーンシャッタ２０では、特に、後幕４４の後シャッタ羽根４４ａが急加速される際に、比較例のシャッタ羽根１２４ａに対して振動が抑制され、開口６２ａにおける露光開始側（Ｙ軸負方向側）において露光ムラの発生を抑制することができた。
【００５１】
さらに、実施例に係るフォーカルプレーンシャッタ２０によれば、スリットＳ１の幅Ｄ１の小さい高シャッタ速度での露光動作においても、露光ムラが効果的に抑制できた。特に、露光時間が１／２０００秒以下で動作する場合でも、露光ムラが効果的に抑制できた。
その他の実施形態
【００５２】
本願発明の第１実施形態では、第１アーム３２を駆動させる先幕駆動バネ９２等は、第２基板６２の記録媒体３０側の表面に取り付けられ、第３アーム３６を駆動させる後幕駆バネ等は、第１基板６０の撮影レンズ９側の表面に取り付けられているが、本願発明の形態としては、これに限定されない。例えば、図３Ａに示す第１基板６０２を用いて、先幕駆動部材および後幕駆動部材を両方とも第１基板６０２の撮像レンズ９側の表面に配置してもよい。
【００５３】
第１基板６０２では、露光動作時における第１アームの軸Ｘ１を中心とする回動方向が、第３アームの軸Ｘ３を中心とする回動方向に対して反対方向となるように、ガイド孔６０ｂ，６２ｂが形成されている。このような構成とすることにより、第１基板６０２の表面に、各シャッタ羽根を駆動させる駆動バネ等を密集させて配置することができるため、シャッタ装置を小型化することができる。
【００５４】
また、本発明に係るシャッタ装置を搭載する装置としては、カメラに限定されず、カメラ以外の光学機器または他の装置であってもよい。
【図面の簡単な説明】
【００５５】
【図１】図１は、本発明の実施形態にかかるフォーカルプレーンシャッタを搭載したカメラの概略断面図である。
【図２】図２は、本発明の実施形態にかかるフォーカルプレーンシャッタの平面図である。
【図３】図３は、図２に示すフォーカルプレーンシャッタの分解斜視図である。
【図３Ａ】図３Ａは、本発明のその他の実施形態に係るフォーカルプレーンシャッタの基板を表した斜視図である。
【図４】図４は、図２または図３に示すフォーカルプレーンシャッタの記録媒体側からかの平面図である。
【図５】図５は、図２に示すフォーカルプレーンシャッタにおける先幕の拡大図である。
【図６】図６は、図２に示すフォーカルプレーンシャッタにおける後幕の拡大図である。
【図７】図７は、図２に示すフォーカルプレーンシャッタの露光動作直後の状態を示した平面図である。
【図８】図８は、図２に示すフォーカルプレーンシャッタの露光動作中の状態を表した要部平面図である。
【図９】図９は、本発明の比較例にかかるフォーカルプレーンシャッタの平面図である。
【図１０】図１０は、図９に示すフォーカルプレーンシャッタの露光動作中の状態を示した要部平面図である。
【符号の説明】
【００５６】
２…  カメラ
２０…  フォーカルプレーンシャッタ
３０…  記録媒体
３２…  第１アーム
３４…  第２アーム
３６…  第３アーム
３８…  第４アーム
４２…  先幕
４２ａ〜４２ｄ…  先シャッタ羽根
４４…  後幕
４４ａ〜４４ｄ…  後シャッタ羽根
５８…  第１駆動ピン
５９…  第２駆動ピン
６０…  第１基板
６２…  第２基板
７２〜８７…  羽根ダボ
【図１】
2009139584.tif 000003
【図２】
2009139584.tif 000004
【図３】
2009139584.tif 000005
【図３Ａ】
2009139584.tif 000006
【図４】
2009139584.tif 000007
【図５】
2009139584.tif 000008
【図６】
2009139584.tif 000009
【図７】
2009139584.tif 000010
【図８】
2009139584.tif 000011
【図９】
2009139584.tif 000012
【図１０】
2009139584.tif 000013